(57)【要約】【課題】従来、コンバーゼンス調整装置においては、調整に手間がかかるという問題があり、この問題を解決しようとすると装置の構造が複雑になるといった問題があった。【解決手段】円筒状の保持枠３の外周に、互いに接触する平板リング状の一対の６極マグネット４、５と、同じく互いに接触し前記一対の６極マグネット４、５に隣接して配置された平板リング状の一対の４極マグネット６、７と、同じく互いに接触し前記一対の４極マグネット６、７に隣接して配置された平板リング状の一対の２極マグネット８、９とを配置し、前記６極マグネット４、５と４極マグネット６、７との間隔を前記４極マグネット６、７と２極マグネット８、９との間隔よりも広く設定するようにした。【選択図】  図１
2004200090.tif 000002
【特許請求の範囲】
【請求項１】
円筒状の保持枠と、この保持枠の外周に互いに接触して設けられた平板リング状の一対の６極マグネットと、同じく前記保持枠の外周に互いに接触して設けられ前記一対の６極マグネットに隣接して配置された平板リング状の一対の４極マグネットと、同じく前記保持枠の外周に互いに接触して設けられ前記一対の４極マグネットに隣接して配置された平板リング状の一対の２極マグネットとを具備し、前記一対の６極マグネットと前記一対の４極マグネットとの間隔を前記一対の４極マグネットと前記一対の２極マグネットとの間隔よりも広く設定したことを特徴とするコンバーゼンス調整装置。
【請求項２】
請求項１記載のコンバーゼンス調整装置において、前記１対のマグネットの各々の着磁量は等しいことを特徴とするコンバーゼンス調整装置。
【請求項３】
３本の電子ビームを生成する電子銃が封入されたネック部を有するカラーブラウン管と、このカラーブラウン管の前記ネック部に装着される円筒状の保持枠と、この保持枠の外周に互いに接触して設けられた平板リング状の一対の６極マグネットと、同じく前記保持枠の外周に互いに接触して設けられ前記一対の６極マグネットに隣接して配置された平板リング状の一対の４極マグネットと、同じく前記保持枠の外周に互いに接触して設けられ前記一対の４極マグネットに隣接して配置された平板リング状の一対の２極マグネットとを具備し、前記一対の６極マグネットと前記一対の４極マグネットとの間隔を前記一対の４極マグネットと前記一対の２極マグネットとの間隔よりも広く設定したことを特徴とするカラー受像管装置。
【請求項４】
請求項３記載のカラー受像管装置において、前記１対のマグネットの各々の着磁量は等しいことを特徴とするカラー受像管装置。
【発明の詳細な説明】
【０００１】
【発明の属する技術分野】
本発明は、コンバーゼンス調整装置及びカラー受像管装置に関する。
【０００２】
【従来の技術】
カラーブラウン管においては、一般にコンバーゼンス調整及びピュリティ調整を行うコンバーゼンス・ピュリティ調整装置（以下、単にコンバーゼンス調整装置と称す）を上記ブラウン管のネック部に装着している。すなわち、ブラウン管のネック部に円筒状の保持枠が装着され、この保持枠の外周部に２枚で１組となったリング状のマグネット計３組が所定の間隔を置いて配置されている。これらマグネットは、ブラウン管のファンネル部に装着される偏向ヨークの後方に配置され、一般的に偏向ヨークから近い順番に２極マグネット、４極マグネット、６極マグネットの順で配置される。各極マグネットは上述したように２枚で１組のマグネットの重ね合わせで構成されており、２極マグネットはネック部に封入された、３本の電子ビームを生成する電子銃から出力される赤、緑、青の３つのビームを同時に調整し、４極マグネットは同じく電子銃から出力される赤及び青の２ビームを差動で調整し、６極マグネットは同じく電子銃から出力される赤と青の２ビームを連動で調整する。
【０００３】
ところで上述したようなコンバーゼンス調整装置においては、ビーム干渉が起こりやすく、２極マグネットでビームを変化させると色ずれを起こして６極マグネットの再調整が必要となったり、あるいは４極マグネットによって赤及び青の２ビームを差動調整するつもりが連動調整させてしまい、コンバージェンスが収れんしなくなることがあり、調整に手間取ることになるといった問題が生じていた。
【０００４】
特許文献１には上述したようなコンバーゼンス・ピュリティ調整装置の問題を解決するために、６極マグネットがビームに影響を与えないようにするための構造が開示されている。しかしながら、シールド部材を必要とするなどの問題点があった。
【０００５】
【特許文献１】特開平１０−２７５５６号公報（図１）
【０００６】
【発明が解決しようとする課題】
以上述べたように、従来のコンバーゼンス調整装置においては、調整に手間がかかるという問題があり、この問題を解決しようとすると装置の構造が複雑になるといった問題があった。
【０００７】
本発明はこのような問題点を解決するためになされたもので、簡単な構造で、かつコンバーゼンスの調整作業を効率的に行なうことが出来るコンバーゼンス調整装置及びカラー受像管装置を提供することを目的とする。
【０００８】
【課題を解決するための手段】
請求項１にかかるコンバーゼンス調整装置は、円筒状の保持枠と、この保持枠の外周に互いに接触して設けられた平板リング状の一対の６極マグネットと、同じく前記保持枠の外周に互いに接触して設けられ前記一対の６極マグネットに隣接して配置された平板リング状の一対の４極マグネットと、同じく前記保持枠の外周に互いに接触して設けられ前記一対の４極マグネットに隣接して配置された平板リング状の一対の２極マグネットとを具備し、前記一対の６極マグネットと前記一対の４極マグネットとの間隔を前記一対の４極マグネットと前記一対の２極マグネットとの間隔よりも広く設定したことを特徴とするものである。
【０００９】
請求項２にかかるコンバーゼンス調整装置は、請求項１記載のコンバーゼンス調整装置において、前記１対のマグネットの各々の着磁量を等しくしたことを特徴とするものである。
【００１０】
請求項３にかかるカラー受像管装置は、３本の電子ビームを生成する電子銃が封入されたネック部を有するカラーブラウン管と、このカラーブラウン管の前記ネック部に装着される円筒状の保持枠と、この保持枠の外周に互いに接触して設けられた平板リング状の一対の６極マグネットと、同じく前記保持枠の外周に互いに接触して設けられ前記一対の６極マグネットに隣接して配置された平板リング状の一対の４極マグネットと、同じく前記保持枠の外周に互いに接触して設けられ前記一対の４極マグネットに隣接して配置された平板リング状の一対の２極マグネットとを具備し、前記一対の６極マグネットと前記一対の４極マグネットとの間隔を前記一対の４極マグネットと前記一対の２極マグネットとの間隔よりも広く設定したことを特徴とするものである。
【００１１】
請求項４にかかるカラー受像管装置は、請求項３記載のカラー受像管装置において、前記１対のマグネットの各々の着磁量を等しくしたことを特徴とするものである。
【００１２】
【発明の実施の形態】
以下、本発明になるコンバーゼンス調整装置及びカラー受像管装置の実施の形態について図面を用いて説明する。
【００１３】
図１は、本発明になるコンバーゼンス調整装置及びカラー受像管装置の一実施の形態を示す側面図であり、１は３本の電子ビームを発生させる電子銃（図示せず）が封入されているカラーブラウン管のネック部であり、図示しないが、図面左側には偏向ヨークが装着されたファンネル部が位置する。２はこのネック部に装着されているコンバーゼンス調整装置全体を示している。このコンバーゼンス調整装置２は、カラーブラウン管のネック部１の外周に装着された円筒状の保持枠３、及び上記保持枠３の外周に互いに接触して設けられた平板リング状の一対の６極マグネット４、５、同じく前記保持枠３の外周に互いに接触して設けられ前記一対の６極マグネット４、５に隣接して配置された平板リング状の一対の４極マグネット６、７、同じく前記保持枠３の外周に互いに接触して設けられ前記一対の４極マグネット６、７に隣接して配置された平板リング状の一対の２極マグネット８、９から大きく構成されている。なお、上記マグネット４乃至９は保持枠３の外周を互いに自由に回転が可能となるよう保持枠３に保持されている。
【００１４】
図１からも明らかな通り、前記一対の６極マグネット４、５と前記一対の４極マグネット６、７との間隔は、前記一対の４極マグネット６、７と前記一対の２極マグネット８、９との間隔よりも広く設定されている。
【００１５】
さらにまた、前記１対のマグネット４及び５、６及び７、並びに８及び９の各々は、それぞれのマグネットを１００％着磁させる時に必要な最大磁界が得られる最低の厚みとなっており、且つそれぞれ対となるマグネット同士では、その着磁量は等しく設定されている。
【００１６】
ここで、６極マグネット４及び５、４極マグネット６及び７、並びに２極マグネット８及び９について図２乃至図４を用いて、その構造を簡単に説明する。なお、対となるマグネットは同一構造ゆえ、一方のみを示す。
【００１７】
図２は６極マグネット４を示す平面図であり、平板リング状のマグネット本体４ａにこのマグネット本体４ａを図示せぬ保持枠３に対して回転させるための回転用つまみ部４ｂが形成されている。マグネット本体４ａは６極の着磁がなされている。図３は４極マグネット６を示す平面図であり、平板リング状のマグネット本体６ａにこのマグネット本体６ａを図示せぬ保持枠３に対して回転させるための回転用つまみ部６ｂが形成されている。マグネット本体６ａは４極の着磁がなされている。図４は２極マグネット８を示す平面図であり、平板リング状のマグネット本体８ａにこのマグネット本体８ａを図示せぬ保持枠３に対して回転させるための回転用つまみ部８ｂが形成されている。マグネット本体８ａは２極の着磁がなされている。
【００１８】
本実施の形態によれば、６極マグネット４及び５は、４極マグネット６及び７、並びに２極マグネット８及び９から離れているために、それらの影響を受けにくい。すなわち、コンバーゼンス調整とピュリティ調整との相互干渉が減少して、両調整が独立に行える。また、２枚マグネットの重ね合わせで構成している６極、４極、及び２極マグネットにおいて、マグネット１枚の厚みが薄いために、１対のマグネットの着磁量が同一でも、マグネット重ね合わせ時の最小磁界をほぼ零にすることが出来、コンバーゼンス調整作業を効率的に行うことが出来る。
【００１９】
なお、この発明は上述した実施の形態に限定されるものではなく、種々の変形が可能であることは言うまでもない。
【００２０】
【発明の効果】
以上説明したように、この発明によれば、簡単な構造で、かつコンバーゼンスの調整作業を効率的に行なうことが出来るコンバーゼンス調整装置及びカラー受像管装置装置を提供することができる。
【図面の簡単な説明】
【図１】本発明になるコンバーゼンス調整装置及びカラー受像管装置の一実施の形態を示す側面図。
【図２】図１の装置の６極マグネットを示す平面図。
【図３】図１の装置の４極マグネットを示す平面図。
【図４】図１の装置の２極マグネットを示す平面図。
【符号の説明】
１：  カラーブラウン管のネック部
２：  コンバーゼンス調整装置
３：  保持枠
４、５：  ６極マグネット
６、７：  ４極マグネット
８、９：  ２極マグネット
【図１】
2004200090.tif 000003
【図２】
2004200090.tif 000004
【図３】
2004200090.tif 000005
【図４】
2004200090.tif 000006